(57)【特許請求の範囲】
【請求項１】
生えている竹木の少なくとも上下２カ所に当接してこれを掴持するクランプレバ９と、前記クランプレバに掴持された竹木の下部を切断するカッタ８とを、縦長のフレーム本体２に取り付け、このフレーム本体を伸縮且つ傾働自在な土木用掘削機のブーム端に連結すると共に、前記カッタで切断した竹木を扁平に圧縮して送り出す圧縮ロールおよび送り出しロールからなる圧縮送出機２３と、この送り出された扁平竹木片を粉砕する粉砕機２５とを併せ備え、生えている竹木をクランプレバで掴持したままカッタで切断し、これを圧縮送出機及び粉砕機で粉砕処理するようにしたことを特徴とする有害竹木の除去処理装置
【請求項２】
フレーム本体２に取り付けた油圧シリンダ１３によってクランプレバ９による竹木の掴持・離隔を行わせるとともに、このフレーム本体２の下端にカッタ８を駆動するための油圧シリンダ１７を取り付け、これらによって竹木をクランプレバで掴持してその下端を切断して、これを圧縮送出機２３へ運び、クランプレバを緩めて切断した竹木を圧縮粉砕するようにしたことを特徴とする請求項１に記載の有害竹木の除去処理装置
【発明の詳細な説明】
【０００１】
【発明の属する技術分野】
本発明は有害竹木の除去処理装置に関し、竹、スギ、ヒノキ等の真っ直ぐに伸びた幹を掴持して切断し、切断片を粉砕して粉砕物を有効に活用するものである。
【０００２】
【従来の技術】
竹は成長力が極めて旺盛なため、生えてはならない場所へ屡々その地下茎が侵入し、予想しない場所から突然地上へ伸びるという竹公害を生じており、これを人力で伐採し除去している。
【０００３】
【発明が解決しようとする課題】
若年の山林労働者が不足している今日、高齢者が人力で、生えてはならない場所に成育している有害竹木を伐採し、現地から運び出して粉砕機等へ投棄して処理する作業は厳しく、殊に傾斜地に生えている竹木の伐採作業は危険である。
【０００４】
【課題を解決するための手段】
すなわち、本発明の有害竹木の除去装置は、生えている竹木の少なくとも上下２カ所に当接してこれを掴持するクランプレバ９と、前記クランプレバに掴持された竹木の下部を切断するカッタ８とを、縦長のフレーム本体２に取り付け、このフレーム本体を伸縮且つ傾働自在な土木用掘削機のブーム端に連結すると共に、前記カッタで切断した竹木を扁平に圧縮して送り出す圧縮ロールおよび送り出しロールからなる圧縮送出機２３と、この送り出された扁平竹木片を粉砕する粉砕機２５とを併せ備え、生えている竹木をクランプレバで掴持したままカッタで切断し、これを圧縮送出機及び粉砕機で粉砕処理するようにしたことを特徴とする。
また、第２発明として、上記装置においてフレーム本体２に取り付けた油圧シリンダ１３によってクランプレバ９による竹木の掴持・離隔を行わせるとともに、このフレーム本体２の下端にカッタ８を駆動するための油圧シリンダ１７を取り付け、これによって竹木をクランプレバで掴持してその下端を切断し、これを圧縮送出機２３へ運び、クランプレバを緩めて切断した竹木を圧縮粉砕するようにした装置を提供する。
【０００５】
【発明の実施の形態】
図１は本発明の使用状態を示す一部切欠側面図であり、伸縮且つ傾動自在な土木用掘削機のブーム１の先端部と、縦長のフレーム本体２の下部に２連に突設されるブラケット３、３とをリンク４、４で連結し、一方のブラケット３に油圧シリンダ５のピストン杆を連結することで、ブーム１の伸縮と傾動によりフレーム本体２をどのような方向へも移動可能とする。
【０００６】
フレーム本体２の上部と下部に少なくとも２基の前方を開口させたボックス６、６を取り付け、フレーム本体２の下端に竹木７を寸断するカッタ８を取り付ける。
【０００７】
竹木７を掴持するクランプレバ９ａ、９ｂは、図２及び図３に示すように、ボックス６内に上下２連に設けられている一対のくの字形杆の基部を、ボックス６内に縦方向に並列して設けたギヤ軸１０ａ、１０ｂに固着し、一方のギヤ軸１０ａの軸端をボックス６から突出させ、その上方突出端に主動ギヤ１１を固着し、下方突出端に遊星ギヤ１２を固着する構造となっている。
【０００８】
ボックス６の上面に搭載された油圧シリンダ１３のピストン杆の側面にラック１４を設けて主動ギヤ１１と噛み合わせ、ピストン杆の進退で主動ギヤ１１を正逆回転させる。
【０００９】
他方のギヤ軸１０ｂをボックス６から下方へ突出させ、軸端に遊星ギヤ１２と噛み合う従動ギヤ１５を固着し、主動ギヤ１１の正逆回転でクランプレバ９ａ、９ｂを相互に接近、離隔させ、接近時に竹木７を掴持するのである。
【００１０】
カッタ８は、図５ａ、ｂに示すように、一対のカッタ片８ａ、８ａの基部を、油圧シリンダ１７のピストン杆の先端に、軸１６を中心として刃先が拡縮するように取り付け、油圧シリンダ１７をフレーム本体の下端に取り付け部材１８を用いて固着し、クランプレバ９ａ、９ｂで掴持した竹木７を切断する。
【００１１】
圧縮送出機２３は、ホッパ２０の上部開口寄りに配置されたロール軸が左右に揺動する可動圧縮ロール１９ａと、これに対向して定位置に固定された固定圧縮ロール１９ｂと、ホッパ２０の下部開口寄りに設けられた一対の送出ロール２１と、ホッパ２０の中央部に設けられたガイド部材２２によって構成される。このホッパ２０はフレーム本体に設置されたカッタ８の下方域に設置されており、切断された竹木がホッパの上部開口に図４の上から（図１の矢印方向から）導入されると、可動圧縮ロール１９ａが固定圧縮ロール側へ移動して竹木を挟んで圧縮し、その回転とともに竹木を割り裂き乍らガイド部材２２を介してこれを送り出しロール２１へ誘導する。
【００１２】
前記によって圧縮され扁平になった竹木片は、送り出しロール２１の回転によって図４に示す円形カッタ２４を備えた粉砕機２５へ送り出され、この円形カッタによって小さな粉砕片に粉砕される。尚必要に応じて粉砕機２５の下方に粉砕片を収納するバケットを置いてもよい。
【００１３】
【発明の効果】
本発明によれば、主として成育しては邪魔になる場所に生えている有害な竹を、その場でクランプレバー９ａ、９ｂで掴持したままで、油圧シリンダ１７を作動させてカッタ８で根元から切断し、この切断した竹をクランプレバーで掴持したまま、圧縮送出機２３のホッパ２０の上部開口部へブームを傾動させて運び、ここでクランプレバーの掴持を少し緩めて、竹を垂直に落し込み、可動圧縮ロール１９ａと固定圧縮ロール１９ｂの回転で竹を割り裂き、次いで送出ロール２１で扁平に圧縮した状態で粉砕機２５に送り込み、細片に粉砕することができる。これにより有害な竹又は木を、その現場で簡単且つ容易に除去処理することができる。
【００１４】
また竹木を伐採して運び出す作業も不要となるので、危険な傾斜地に生えている竹木も安全に伐採除去できる外、切断した竹木はその場で細かい粉砕片となるので、これをそのまま竹林の肥料として活用することも可能となり、搬出などの手間が一切不要となる。
【図面の簡単な説明】
【図１】本発明の使用状態を示す一部切欠側面図。
【図２】本発明に係る竹木のクランプ装置を示す正面図。
【図３】同、平面図。
【図４】本発明に係る竹木片の圧縮送出機と、粉砕機の設置状態を示す正面図。
【図５】ａ  本発明に係る竹木のカッタ装置を示す平面図。
ｂ  同、側面図。
【符号の説明】
１  木用掘削機のブーム  ２  フレーム本体  ９ａ、９ｂ  クランプレバ
８  カッタ  ２３  圧縮送出機  ２５  粉砕機
【図１】
0003565796.tif 000002
【図２】
0003565796.tif 000003
【図３】
0003565796.tif 000004
【図４】
0003565796.tif 000005
【図５】
0003565796.tif 000006